(57)【特許請求の範囲】
【請求項１】
洗濯水を加熱するためにヒーターを備えた煮る洗濯機の制御方法において、煮る洗濯行程を止めるための解除モードが設定されたかを判断する段階と、解除モードで感知された洗濯水温度が設定された排水可能温度より高ければ冷水を給水する段階と、冷水を給水する場合に感知された洗濯水温度と排水可能温度との差に応じて洗濯モータを制御する段階と、排水可能温度に下がった洗濯水を排水する段階と、を備え、
前記洗濯モータを制御する段階は、感知された洗濯水温度と排水可能温度との差が基準値より大きければ、冷水を供給するとともに洗濯モータの駆動を止め、冷水を給水した後オーバーフロー水位まで張られた冷水を排水するように洗濯モータの駆動を止め、
感知された洗濯水温度と排水可能温度との差が基準値より大きくなければ、洗濯モータを駆動させる段階を備えることを特徴とする煮る洗濯機の制御方法。
【請求項２】
前記オーバーフロー水位は予め設定された洗濯水位のうち最高水位以上であることを特徴とする請求項１に記載の煮る洗濯機の制御方法。
【請求項３】
前記排水可能温度は５０℃であり、前記基準値は２５℃であることを特徴とする請求項１または２に記載の煮る洗濯機の制御方法。
【請求項４】
前記解除モードは、煮る洗濯行程を行う途中にユーザーにより強制的に設定されることを特徴とする請求項１に記載の煮る洗濯機の制御方法。
【請求項５】
前記解除モードは、煮る洗濯行程を止めるための停止キー信号あるいは脱水行程を行うための脱水キー信号が入力される際に設定されることを特徴とする請求項４に記載の煮る洗濯機の制御方法。
【請求項６】
前記解除モードは、煮る洗濯行程を終了するとともに自動的に設定されることを特徴とする請求項１に記載の煮る洗濯機の制御方法。
【発明の詳細な説明】
【０００１】
【発明の属する技術分野】
本発明は煮る洗濯機の制御方法に係り、さらに詳しくは煮る洗濯行程を解除するための解除モードにおいて洗濯水温を下げた後洗濯水を排水できるようにした煮る洗濯機の制御方法に関する。
【０００２】
【従来の技術】
従来の煮る洗濯機は、水槽の内部に洗濯水を加熱するためのヒーターを備え、煮る洗濯コースが設定されれば洗濯水を給水してからヒーターを駆動して洗濯水の温度を上げる加熱動作を行う。このような加熱動作は洗濯水温度が一定温度に至るまで続き、一定温度に至った後はヒーター駆動を止める。
【０００３】
しかし、従来の煮る洗濯機においては煮る洗濯が終了されれば洗濯水を排水するが、高温の洗濯水を外部に排水すれば火傷の恐れがある。また、煮る洗濯行程を行う途中にユーザーが停止キーを操作し、あるいは脱水キーを操作する場合のように煮る洗濯行程を止めるための解除モードが設定されれば高温の洗濯水を外部に排水することにより火傷の恐れが依然として残るというのが実情である。
【０００４】
したがって、煮る洗濯行程の途中に洗濯水を排水する場合は火傷の恐れのない排水可能温度に洗濯水温を下げた後排水することが要求される。
【０００５】
【発明が解決しようとする課題】
本発明は前述した技術背景下で案出されたもので、その目的は煮る洗濯行程を止めるための解除モードが設定されれば洗濯水温度を下げた後安全に排水できるようにした煮る洗濯機の制御方法を提供するところにある。
【０００６】
【課題を解決するための手段】
前述したような本発明の目的は、洗濯水を加熱するためにヒーターを備えた煮る洗濯機の制御方法において、煮る洗濯行程を止めるための解除モードが設定されたのかを判断する段階と、解除モードにおいて感知された洗濯水温度が設定された排水可能温度より高ければ冷水を給水する段階と、冷水を給水する場合感知された洗濯水温度と排水可能温度との差に応じて洗濯モータを制御する段階、及び排水可能温度に下がった洗濯水を排水する段階とにより達成される。
【０００７】
本発明によれば、前記洗濯モータを制御する段階は、感知された洗濯水温度と排水可能温度との差が基準値より大きければオーバーフロー水位まで張られた冷水を排水するよう洗濯モータの駆動を止める段階を備えることを特徴とする。
【０００８】
本発明によれば、前記オーバーフロー水位は予め設定された洗濯水位のうち最高水位以上であることを特徴とする。
【０００９】
本発明によれば、前記洗濯モータを制御する段階は、感知された洗濯水温度と排水可能温度との差が基準値より大きくなければ洗濯モータを駆動させる段階を備えることを特徴とする。
【００１０】
本発明によれば、前記排水可能温度は５０℃であり、前記基準値は２５℃であることを特徴とする。
【００１１】
本発明によれば、前記解除モードは煮る洗濯行程を行う途中にユーザーにより強制的に設定されるもので、煮る洗濯行程を止めるための停止キー信号あるいは脱水行程を行うための脱水キー信号が入力される時に設定されることを特徴とする。
【００１２】
本発明によれば、前記解除モードは煮る洗濯行程を終了するとともに自動的に設定されることを特徴とする。
【００１３】
【発明の実施の形態】
以下、添付した図面に基づき本発明に係る望ましい実施形態を詳述する。
図１は本発明に係る煮る洗濯機の縦断面図であり、図２は本発明に係る煮る洗濯機の概略的なブロック構成図である。
【００１４】
本発明に係る煮る洗濯機は、図１に示した通り、本体１の内部に水槽２と回転槽３が設けられ、回転槽３の底部に洗濯羽根５が回転自在に設けられ、本体１の上部には開放部を開閉する蓋部４と、温水と冷水を給水するための給水バルブ１４ａ、１４ｂ、及び操作部(図示せず)が設けられる。
【００１５】
前記水槽２の底部には洗濯羽根５を駆動するための駆動手段として動力伝達装置６とプーリ７とベルト８及び洗濯モータ９が設けられる。
【００１６】
また、回転槽３の下部には洗濯水を加熱するための円形ヒーター１２と洗濯水を排水するための排水バルブ１０とが水槽２の底部に固着され、水槽２の内部に加熱される洗濯水の温度を感知するための温度センサ１３が設けられる。
【００１７】
そして、回転槽３の上部と排水バルブ１０の出口とを連結するオーバーフロー管１１が設けられ、該オーバーフロー管１１を通して回転槽３の上部に張られる冷水が外部に排水される。
【００１８】
図２に基づき、制御部２２の入力端にはユーザーから洗濯コースを初めとして洗濯情報を入力するための操作部２０と、温度センサ１３を備えてセンサにより感知された温度情報を制御部２２に入力するための温度感知部２１が連結され、制御部２２の出力端には洗濯モータ９を駆動するための洗濯モータ駆動部２３と、ヒーター１２を駆動するためのヒーター駆動部２４と、温水バルブ１４ａ及び冷水バルブ１４ｂを駆動するための給水バルブ駆動部２６と、排水バルブ１０を駆動するための排水バルブ駆動部２６と、が連結される。
【００１９】
煮る洗濯行程時に給水される洗濯水位は、図３に示した通り、低水位Ｌ１、中水位Ｌ２及び高水位Ｌ３に区分され、解除モードにおいて冷水がオーバーフロー管１１を通して排水されるオーバーフロー水位Ｌ４は高水位Ｌ３より高く設定される。
【００２０】
煮る洗濯コースが設定されれば、制御部２２は温水バルブ１４ａを開放させ温水を給水し、ユーザーが別に水位設定をしない標準モードでは中水位まで温水を給水する。
【００２１】
給水が終了すれば、制御部２２はヒーター１２を駆動しヒーター１２の発熱により給水された洗濯水が加熱され、かつ洗濯羽根５を左右反転させるように洗濯モータ９を駆動して煮る洗濯行程を行う。
【００２２】
煮る洗濯行程を行う途中に、操作部２０を通して煮る洗濯を中断するための停止キー信号が入力されたならば、あるいは脱水コースを行うための脱水キー信号が入力されたならば、前記制御部２２は煮る洗濯行程を解除するための解除モードを設定する。
【００２３】
解除モードが設定されれば、制御部２２は洗濯水温をチェックして排水可能なのかを判断し、排水可能温度であって火傷の恐れがない場合は煮る洗濯行程時に使用した洗濯水を急速排水するために排水バルブ駆動部２６を制御して排水バルブ１０を開放させる。
【００２４】
一方、解除モードが設定された場合、温度感知部２１を通して感知された洗濯水温が排水可能温度Ｔｒ(一例に５０℃)より高ければ洗濯水温を排水可能温度に下げるための動作を取る。すなわち、洗濯水温が下がるように冷水を給水する。
【００２５】
洗濯水温と排水可能温度との差が基準値(一例に２５℃)より大きい場合であって洗濯水温が７５℃ならば、洗濯水温が一定温度(一例に６０℃)に下がるまで冷水を給水しつつ洗濯モータ９は停止させる。これにより冷水給水がなされた後オーバーフロー水位まで張られる冷水はオーバーフロー管１１を経由して外部に排出され、この際、排水温度は図４のＡ区間のように排水可能温度Ｔｒより遥かに低い。ここで、洗濯モータ９の駆動を止める理由は、洗濯水温が遥かに高いため洗濯水温が排水可能温度に下がるのに一定時間がかかり、洗濯モータ９の駆動により高温の洗濯水がオーバーフロー管１１を通して排水される恐れがあるからである。
【００２６】
解除モードが設定されたときに、洗濯水温と排水可能温度との差が基準値より大きくない場合、あるいは冷水を給水して洗濯水温度が下がることにより洗濯水温と排水可能温度との差が基準値より大きくない場合は洗濯水と冷水が活発に混ぜ合わせられるように洗濯モータ９を駆動して洗濯羽根５を左右反転させ、この際洗濯水温度は図４のＢ区間のように排水可能温度に近く下がり、冷水と洗濯水が混ぜ合わせられたままオーバーフロー管１１を通して排出されるにつれ排水温度は排水可能温度をやや上回る程に変る。
【００２７】
前述したように冷水給水と共に洗濯モータ９を制御することにより洗濯水温度が排水可能温度に下がれば、制御部２２は排水バルブ駆動部２６を制御して排水バルブ１０を開放させ洗濯水を外部に排水する。この際、排水温度は図４のＣ区間のように排水可能温度より低い。
【００２８】
前述したような構成を有する本発明に係る煮る洗濯機のヒーティング制御方法を図５の流れ図に基づき説明し、便宜上煮る洗濯行程を行う途中にユーザーが脱水コース選択により解除モードを設定した場合について説明し、これと同様にユーザーにより強制的に解除モードが設定された場合、煮る洗濯行程が終了して自動的に解除モードが設定された場合も同じく適用することができる。
【００２９】
まず制御部２２は、操作部２０を用いてユーザーが煮る洗濯コースを設定したのかを判断し(Ｓ１０)、その判断結果煮る洗濯コースが設定されなければ待機し、その判断結果煮る洗濯コースが設定されたら給水バルブ駆動部２５を制御して温水バルブ１４ａを開放して中水位に至るまで温水を給水する(Ｓ２０)。
【００３０】
制御部２２は水流を発生させるために洗濯モータ駆動部２３を制御して洗濯モータ９を駆動し(Ｓ３０)、かつ制御部２２は給水された洗濯水を加熱するためにヒーター駆動部２４を制御してヒーター１２を駆動する(Ｓ４０)。
【００３１】
洗濯モータ９及びヒーター１２を駆動しつつ煮る洗濯行程を行う途中に前記制御部２２は操作部２０を通して脱水コースが選択されたのかを判断し(Ｓ５０)、その判断結果ユーザーにより脱水コースを選択するための脱水キー信号が入力されない場合には引き続き煮る洗濯行程を行うために段階Ｓ３０に戻り、その判断結果脱水キー信号が入力される場合には解除モードを設定した後、後述する段階により洗濯水を排水する動作を取る。
【００３２】
解除モードにおいて前記制御部２２は温度感知部２１を通して洗濯水温度を感知し(Ｓ６０)、感知された洗濯水温度が排水可能温度Ｔｒ(一例に５０℃)より高いのかを判断し(Ｓ７０)、その判断結果感知された洗濯水温度が排水可能温度Ｔｒより高くない場合は火傷の恐れがないと認識して、前記制御部２２は排水バルブ駆動部２６を駆動して排水バルブ１０を開放して煮る洗濯行程時に使用した洗濯水を排水し(Ｓ７１)、洗濯モータ９を駆動して脱水行程を行った後(Ｓ７２)リターンする。
【００３３】
段階Ｓ７０で感知された洗濯水温度が排水可能温度Ｔｒより高い場合、制御部２２は給水バルブ駆動部２５を制御して冷水バルブ１４ｂを開放して冷水を給水し(Ｓ８０)、制御部２２は洗濯水温度が設定温度(Ｔａ=Ｔｒ+基準値)より高いのかを判断し(Ｓ９０)、その判断結果感知された洗濯水温度が設定温度より高くない場合であって感知された洗濯水温度と排水可能温度との差が基準値(一例に２５℃)より高くなければ、冷水と洗濯水を活発に混ぜ合わせて洗濯水温度が迅速に下がるよう制御部２２は洗濯モータ駆動部２３を制御して洗濯モータ９を駆動し(Ｓ９１)、洗濯水温度が排水可能温度に下がるまで引き続き冷水と洗濯水を混ぜ合わせるために段階Ｓ６０に戻る。
【００３４】
段階Ｓ９０の判断結果、感知された洗濯水温度が設定温度Ｔａより高い場合であって感知された洗濯水温度と排水可能温度との差が基準値より高ければ、制御部２２は洗濯モータ駆動部２３を制御して洗濯モータ９を停止させ(Ｓ１００)、制御部２２は温度感知部２１を通して洗濯水温度を感知し(Ｓ１１０)、洗濯水温度と排水可能温度との差が基準値以下になるまで引き続き冷水をオーバーフローさせるために段階Ｓ９０に戻る。その後、洗濯水温度が下がって洗濯水温度と排水可能温度の差が縮まると、前述したように洗濯モータ９を駆動して冷水と洗濯水を混ぜ合わせ、追って洗濯水温度がさらに下がって排水可能温度に至れば排水バルブ１０を開放して煮る洗濯行程時に使用した洗濯水を排水する。
【００３５】
前述した実施形態では具体的に説明していないが、煮る洗濯行程を行う途中に解除モードが設定されなくても煮る洗濯行程が終了されるとともに自動的に解除モードに設定し、煮る洗濯行程時に使用した洗濯水の温度に応じて前述した動作を取って洗濯水温を排水可能温度に下げてから排水できる。
【００３６】
【発明の効果】
以上述べた通り、本発明は煮る洗濯行程を止めるための解除モードが強制的にあるいは自動的に設定された場合、冷水だけをオーバーフローさせた後に洗濯水温度が下がれば洗濯モータを駆動して冷水と洗濯水を混ぜ合わせて洗濯水温度を排水可能温度に下げた後安全に排水することにより火傷の恐れを排除することができ、よって製品の信頼性をアップする効果を奏する。
【図面の簡単な説明】
【図１】  本発明に係る煮る洗濯機の縦断面図である。
【図２】  本発明に係る煮る洗濯機の概略的なブロック構成図である。
【図３】  本発明によりオーバーフロー水位を説明するための図である。
【図４】  本発明により洗濯水温度と排水温度を示した図である。
【図５】  本発明に係る煮る洗濯機の制御方法を説明するための流れ図である。
【符号の説明】
３  回転槽
９  洗濯モータ
１２  ヒーター
１３  温度センサ
【図１】
0003664690.tif 000002
【図２】
0003664690.tif 000003
【図３】
0003664690.tif 000004
【図４】
0003664690.tif 000005
【図５】
0003664690.tif 000006